(57)【要約】【課題】注射針の取り扱いに優れて使用前後の危険性や衛生面での不安を払拭し、使用中でも注射針による侵襲の不安を払拭することができる注射器を提供することにある。【解決手段】注射筒１と、針付きガスケット２と、ガスケット３が装着されたプランジャー４と、から構成された注射器。注射筒１は容器本体１１と保護体１２とが一体形成されており、劈開により連結部１３から保護体１２を分離して使用する。注射針２２は容器本体１１内に収容されており、使用時にプランジャー４を操作することで注射針２２を容器本体１１外に露出して皮膚に接種する。この際、容器本体１１の先端にある２個の突起部１１Ｃ１，１１Ｃ２は、皮膚に当接して表皮及び真皮を襲撃しない程度に押圧することで注射針２２による痛みとは別の痛みを与え、痛みを偽装して注射針２２の痛みを軽減する。使用後は、再び針付きガスケット２を容器本体１１内に戻して注射針を収容する。
2019235637.tif 000002
【特許請求の範囲】
【請求項１】
中空円筒状の容器本体と、
前記容器本体の一端側を閉口し、前記容器本体の内外に連なる保護体と、
を有し、
前記保護体は、前記容器本体内に配置される注射針を保護する針穴部が形成されていることを特徴とする注射器。
【請求項２】
前記容器本体の一端側の先端は、先端面から突出した突起部が形成されていることを特徴とする請求項１記載の注射器。
【請求項３】
前記針穴部の底面は、前記容器本体の先端面よりも上方に位置していることを特徴とする請求項１又は２記載の注射器。
【請求項４】
前記保護体は、前記容器本体の先端面から突出した先端部と、前記針穴部が形成されたガスケット受け部と、を有し、
前記先端部及び前記ガスケット受け部と前記容器本体とを連結する連結部が形成された注射器であって、
前記先端部に対して力を加えることで、前記連結部が破損し、前記容器本体と前記保護体とが分離可能であることを特徴とする請求項１から３のいずれか記載の注射器。
【請求項５】
前記ガスケット受け部に、位置決め固定された注射針を有し、前記容器本体の内周面に当接する針付きガスケットが配置されていることを特徴とする請求項４記載の注射器。
【請求項６】
前記針付きガスケットは、前記注射針に薬液を導く導入路を有し、
前記導入路中に薬液との接触面となる隔壁を有することを特徴とする請求項５記載の注射器。
【請求項７】
前記隔壁は、切り込み又はこれを破壊貫通する機構を有することを特徴とする請求項６記載の注射器。
【請求項８】
前記容器本体は、前記一端側よりも上方に位置して内周方向に突出した内壁部を有することを特徴とする請求項１から７のいずれか記載の注射器。
【請求項９】
前記容器本体の内周面に当接するガスケットを先端に有し、前記容器本体の他端側に配置されるプランジャーを有する請求項１から８のいずれか記載の注射器。
【請求項１０】
前記ガスケットと前記プランジャーとは連結体によって連結され、
前記連結体は、前記プランジャーの押圧操作に伴い前記ガスケットを移動する一方、
前記プランジャーの引出操作に伴い前記ガスケットから離脱することを特徴とする請求項９記載の注射器。
【請求項１１】
前記プランジャーは、押圧方向とは真逆に復元するバネ体を有することを特徴とする請求項９又は１０記載の注射器。
【請求項１２】
前記針付きガスケットと前記内壁部との間には、前記針付きガスケットの押圧方向とは真逆に復元するバネ体を有することを特徴とする請求項６から８のいずれか記載の注射器。
【請求項１３】
前記容器本体に薬液が充填された請求項１から１２のいずれか記載の注射器。
【請求項１４】
前記プランジャーの後端に麻酔薬を収納する収納部を設けたことを特徴とする請求項９から１３のいずれか記載の注射器。
【発明の詳細な説明】
【技術分野】
【０００１】
本発明は、注射針を有する注射器に関し、注射針が可動して露出し及び引き戻しするもの並びに注射針とは別の偽装痛点針を有するものに関する。
【背景技術】
【０００２】
現在、医療における医薬品の投与ルートには様々なものがある、広く一般に用いられるものの代表として、経口ルートと注射ルートが挙げられる。【０００３】
経口ルートは、日常の薬物投与において最も汎用されている。医薬品の選択と調剤を間違えることなく、加えて摂取するタイミングを間違えなければ、大きなミスを生ずることは少なく、注射ルートに比較すると便利で簡単かつ安全な投与方法といえる。よって、自宅治療において医薬品の経口投与を患者個々に委ねるのが現状となっている。使用される剤形としては錠剤、カプセル剤、散剤などがある。【０００４】
しかし、経口投与において、医薬品は胃・小腸等の消化器官で吸収されることから、この医薬品によって胃腸障害が生じたり、消化管内（特に胃）で医薬品が胃酸等で分解されたりすることがある。また、吸収後の効果発現まで多少の時間を要し、効果発現が不安定となるなどの問題点もある。さらに、消化管の状態で薬物の吸収が異なるという問題点もある。【０００５】
一方、消化管等で分解されてしまうことなく、或いは消化管等で吸収されないというような医薬品の場合、注射ルートは、特に効力を発揮するといえる。詳細には、静脈内・筋肉内・皮下・皮内と幾つかの投与経路があるが、これらを適切に選択することで、医薬品の体内動態を制御できる。【０００６】
すなわち、注射針を用いて直接体内に医薬品を注入することにより、効果の発現が早く安定しているのが特徴である。注射ルートは、直接的に必要な箇所（患部）に医薬品を投与できるため、他の投与方法より効果が出始めるまでの時間が短く、また、吸収過程で濾過されてしまったり、他の物質に変質してしまったり、吸収の過程において解毒作用で分解されてしまったりというような種類でも投与できるため、より確実な方法といえる。【０００７】
このように注射ルートによる投薬方法は経口ルートよりも優れた点を有する。その効力から、注射を医師による医療行為として限定している国(日本など)においても、自己注射を認めている状況にある。利用例として、糖尿病治療のためのインスリン注射、不育症予防のためのヘパリン注射、血友病治療のための血液凝固因子薬自己注射、などがある。
【先行技術文献】
【特許文献】
【０００８】
【特許文献１】特開
【発明の概要】
【発明が解決しようとする課題】
【０００９】
しかしながら、注射が十分に普及・活用されているとはいえない。そこには、以下の１〜５の問題が内在している。
１．注射針の取り扱いに潜む危険（針刺し事故など）
２．医薬品利用に潜む危険（医薬品の選択及び導入量の間違い）
３．注射器の衛生管理（保管事故や使い回し）
４．注射行為に潜む危険（注射する深さ）
５．注射器使用時の痛み（注射行為の上手い・下手、薬剤の刺激性）【００１０】
上記の幾つかの問題を解決するものとして、針のない無針注射器が考えられたが、高価である、薬液を吐出する際の衝撃音が大きすぎる、高価なインジェクターの使いまわしによる２次感染などの理由で普及できていない。【００１１】
一方、針のある注射器は最も広く普及していて、長い年月に亘り基本構造は変化していない。それだけ、シンプルで安価に作られているといえる。その反面、生体組織の中に中空の針を貫通させるため、この侵襲に対する拒否感や実質的な被害が今でも問題となっている。また、既存の注射器は、完全なバージン性や感染症対策に対処できていないことが今でも問題となっている。【００１２】
本発明はこのような点に鑑みてなされたものであり、その目的は、注射針の取り扱いに優れて使用前後の危険性や衛生面での不安を払拭し、使用中でも注射針による侵襲の不安を払拭することができる注射器を提供することにある。
【課題を解決するための手段】
【００１３】
上記課題を解決するために、本発明は、以下のものを提供する。【００１４】
（１）  中空円筒状の容器本体と、前記容器本体の一端側を閉口し、前記容器本体の内外に連なる保護体と、を有し、前記保護体は、前記容器本体内に配置される注射針を保護する針穴部が形成されていることを特徴とする注射器。【００１５】
本発明によれば、注射器は、容器本体の一端側を閉口する保護体を有し、容器本体の内外に連なって形成され、注射針を保護する針穴部が形成されていることから、容器本体内の針穴部に注射針が収容されて保護されることとなる。保護体によって容器本体内に注射針が収容されており、一端側を閉口していることから、実際に使用するときまで注射針が外気にさらされることがなく、注射器及び注射針の保管という衛生管理面で優れている。【００１６】
保護体は、容器本体と一体形成されて容易に分離可能にした構成や、容器本体と別に装着された構成（例えば、キャップ）などが採用できる。注射針を容器本体内に収容しておき、保護体と分離しても注射針が容器本体外に露出しないよう、針穴部は容器本体内に形成される。【００１７】
（２）  前記容器本体の一端側の先端は、先端面から突出した突起部が形成されていることを特徴とする注射器。【００１８】
本発明によれば、先端面を皮膚に当接させて接種する際に突起部が皮膚を圧迫して、針刺しの痛みとは別の痛みを与えることができ、注射本来の痛みを感じ難くすることができる。この突起部は、いわゆる偽装痛点針として機能し、注射針を刺す周辺に別の針が刺されるような痛みを偽装している。これにより、痛みの少ない注射を打つスキル（熟練を要する）や下手だと余計な痛みが増すという使用時の痛みの発生の問題を解決することができる。【００１９】
（３）  前記針穴部の底面は、前記容器本体の先端面よりも上方に位置していることを特徴とする注射器。【００２０】
本発明によれば、容器本体の先端面よりも上方に針穴部の底面が位置していることから、使用前は容器本体内に注射針が収容された状態を維持することができ、使用前に皮膚及び皮内を傷つけるといった懸念がなく、注射針の取り扱いに潜む危険を回避することができる。【００２１】
（４）  前記保護体は、前記容器本体の先端面から突出した先端部と、前記針穴部が形成されたガスケット受け部と、を有し、前記先端部及び前記ガスケット受け部と前記容器本体とを連結する連結部が形成された注射器であって、前記先端部に対して力を加えることで、前記連結部が破損し、前記容器本体と前記保護体とが分離可能であることを特徴とする注射器。【００２２】
本発明によれば、中心軸周りに回転させる、あるいは折る動作によって先端部に力を加えることで、連結部が破損し、容器本体と保護体（先端部及びガスケット受け部）とが劈開により分離可能であることから、使用時までは注射針を密封状態に保つことができ、注射器及び注射針の汚染を回避することができ、衛生管理上優れている。また、利用する素材の劈開性を利用することで、その断面は凹凸の無い平坦な断面を形成することができる。これにより、連結部（切断面）を皮膚に強く押し当てても、切断面で皮膚を損傷することなく、安全性を確保できる。【００２３】
（５）  前記ガスケット受け部に、位置決め固定された注射針を有し、前記容器本体の内周面に当接する針付きガスケットが配置されていることを特徴とする注射器。【００２４】
本発明によれば、ガスケット受け部に針付きガスケットが配置されていることから、ガスケット受け部に支持された針付きガスケットは容器本体内に収容された状態である。また、キャップの取り外しや劈開等によって保護部（ガスケット受け部）を取り除いた後でも、針付きガスケットは容器本体の内周面に当接していることから、注射針は依然として容器本体内に収容された状態を維持することができ、使用前に皮膚及び皮内を傷つけるといった懸念がなく、注射針の取り扱いに潜む危険を回避することができる。さらに、注射針が容器本体内に収容された状態であることから、使用前後及び使用中も患者は注射針を見ることがないので、患者に恐怖感を与えるなどの精神的ストレスを軽減することができる。【００２５】
（６）  前記針付きガスケットは、前記注射針に薬液を導く導入路を有し、前記導入路中に薬液との接触面となる隔壁を有することを特徴とする注射器。【００２６】
本発明によれば、導入路を有しており、その導入路中に薬液との接触面となる隔壁を有する針付きガスケットにより、導入路中で薬液が満たされる上流側と薬液がない下流側とに区画することができ、容易に注射針に薬液が流れ込まないようにしている。針付きガスケットは接種直前時に可動するが、この可動に伴って接種前に不必要に薬液が注射針から放出されるのを防ぐためであり、所定の圧力を加えて隔壁を破壊又は貫通した薬液が注射針に流れ込むようにしている。なお、摂取する薬液の粘度が大きく注射針を流れ出る時の圧力損出が大きい場合には、この隔壁は不要となる。【００２７】
（７）  前記隔壁は、切り込み又はこれを破壊貫通する機構を有することを特徴とする注射器。【００２８】
本発明によれば、切り込みを有する隔壁によって、薬液が隔壁を破壊又は貫通する度合いを制御することができる。切り込みの本数、深さ、形状などを薬液の性質（粘度など）に応じて設定するとよい。また、破壊貫通する機構を隔壁に有することでも、その破壊貫通する度合いを制御することができる。【００２９】
（８）  前記容器本体は、前記一端側よりも上方に位置して内周方向に突出した内壁部を有することを特徴とする注射器。【００３０】
本発明によれば、容器本体の一端側よりも上方に位置して内周方向に突出した内壁部を有することから、可動する針付きガスケットは内壁部の下方に移動することができず、針付きガスケットのストッパーとしての機能を果している。これにより、針付きガスケットの可動範囲を規制して、注射針の長さを適切に設計することにより、過度に注射針が皮膚を貫通することを防ぐことができる。すなわち、皮内注射、皮下注射、筋肉注射など、それぞれに適切な深さに注射針を侵入させることができ、注射する場所と深さなど適用部位に応じた注射器の選択に資することができる。【００３１】
（９）  前記容器本体の内周面に当接するガスケットを先端に有し、前記容器本体の他端側に配置されるプランジャーを有する注射器。【００３２】
本発明によれば、容器本体の他端側にプランジャーを配置しており、容器本体はプランジャーと保護体とで両端の閉口状態を保っていて外気との接触を遮断していることから、注射器の衛生管理上優れている。また、プランジャーを引き戻してもガスケットのみが容器本体内に残るため、注射器内に薬液を再注入できないようにでき、注射器の使い回しを防止することができる。【００３３】
（１０）  前記ガスケットと前記プランジャーとは連結体によって連結され、前記連結体は、前記プランジャーの押圧操作に伴い前記ガスケットを移動する一方、前記プランジャーの引出操作に伴い前記ガスケットから離脱することを特徴とする注射器。【００３４】
本発明によれば、ガスケットとプランジャーとは連結体によって連結され、連結体は、プランジャーの押圧操作に伴いガスケットを移動することから、プランジャーとガスケットとは連結体を介して押圧されて容器本体下部へ移動する。一方、プランジャーの引出操作に伴いガスケットから離脱することから、プランジャーとガスケットが分離されて、プランジャーだけが容器本体外へ引き出され、ガスケットは容器本体内に留まることとなる。これにより、容器本体内に再度薬液を充填することが出来なくなることから、注射器及び注射針の使い回しを防ぐことができ、衛生管理上優れている。【００３５】
（１１）  前記プランジャーは、押圧方向とは真逆に復元するバネ体を有することを特徴とする注射器。
（１２）    前記針付きガスケットと前記内壁部との間には、前記針付きガスケットの押圧方向とは真逆に復元するバネ体を有することを特徴とする注射器。【００３６】
本発明によれば、バネ体の復元作用によって押圧されたプランジャー又は針付きガスケットを引き戻すことから、プランジャーの移動に伴って又は直接的に針付きガスケットも吸引されて、容器本体内に引き戻されることになる。この際、注射針も同様に容器本体内に引き戻されることから、使用後の注射針で皮膚及び皮内に傷をつけることがなく、注射針の取り扱いに潜む危険を回避することができる。【００３７】
（１３）  前記容器本体に薬液が充填された注射器。【００３８】
本発明によれば、容器本体内に必要な薬液を充填（完全バージン型プレフィルド化）することで、注射する医薬品の選択ミスや接種量の間違いといった問題を回避することができる。さらに、どの医薬品がどの分量で充填されているかといった表示を明確にすると好ましい。また、プランジャーを引き抜くとガスケットと外れる構造にすることで、既に充填された薬液を勝手に入れ替えることが不可能となり、医療現場での事故や間違いを防止するとともに、注射器及び注射針の使いまわしの防止にも資することができる。【００３９】
（１４）  前記プランジャーの後端に麻酔薬を収納する収納部を設けたことを特徴とする注射器。【００４０】
本発明によれば、プランジャーの後端に麻酔薬を収納する収納部を設けたことから、接種前に麻酔薬を皮膚に塗布又は添付して、接種時の痛みを緩和することができる。
【発明の効果】
【００４１】
本発明の注射器は、従来の注射器に内在する問題点（注射針の取り扱いに潜む危険、注射器に導入する医薬品の取り違え、使用時の痛みの発生）を回避・解決し、衛生管理にも適用部位の選択にも優れた注射器を提供することができるという効果がある。
【図面の簡単な説明】
【００４２】
【図１】本発明の実施の形態に係る注射器の分解図である。
【図２】本発明の実施の形態に係る注射器の組立図である。
【図３】針付きガスケットの他の例を示す概略図である。
【図４】突起部の作用を説明するための図である。
【図５】バネ体付きプランジャーを用いた注射器の組立図である。
【図６】本発明の実施の形態に係る別の注射器の分解図である。
【図７】本発明の実施の形態に係る別の注射器の組立図である。
【図８】本発明の実施の形態に係る別の注射器の分解図である。
【図９】本発明の実施の形態に係る別の注射器の組立図である。
【図１０】本発明の実施の形態に係る別の注射器の分解図である。
【図１１】本発明の実施の形態に係る別の注射器の組立図である。
【図１２】麻酔薬を収納する収納部を説明するための図である。
【図１３】注射器の使用方法を説明するための図である。
【図１４】注射器の使用方法を説明するための図である。
【図１５】注射器の使用方法を説明するための図である。
【発明を実施するための最良の形態】
【００４３】
以下、本発明の実施の形態について図面に基づいて説明する。【００４４】
（第１の注射器及び注射器の基本構成）
図１（Ａ）は、本発明の実施の形態に係る注射器の分解図、図１（Ｂ）はプランジャー４を上方から見た図であり、図２は、本発明の実施の形態に係る注射器の組立図である。図１及び図２において、注射器は、注射筒１と、針付きガスケット２と、ガスケット３が装着されたプランジャー４と、から構成されている。【００４５】
注射筒１は、中空円筒状の容器本体１１と、容器本体１１の下端側（一端側）を閉口する保護体１２と、が一体形成されている。容器本体１１は、上端側側面にリング状の上取手部１１ａと、中央やや上端側側面にリング状の下取手部１１ｂと、下端側（一端側）に２個の突起部１１Ｃ１，１１Ｃ２と、容器本体１１の内壁面から中心方向に突出したリング状の内壁部１１ｄと、が形成されている。なお、突起部の個数は、２個に限定されるものではない。１個でも複数個でもよい。また、その形状も円柱や角柱、円錐や角錐など、特に限定されるものではない。表皮に強く押し当てた際に、その表面を損傷しない程度の鋭さ(鈍さ)で、圧迫感と軽度の痛みを感ずるものとする。【００４６】
また、容器本体１１と一体形成されている保護体１２は、ツマミ部１２ａと、ガスケット受け部１２ｂと、ガスケット受け部１２ｂに形成された針穴部１２ｃと、が形成されている。さらに、容器本体１１と保護体１２とを連結するリング状の連結部１３が形成されている。保護体１２をキャップ型とする場合には、容器本体１１の下端（一端）が連結部１３として機能し、キャップを回転することで連結部１３による連結を解除し、容器本体１１と保護体１２とを分離することができる。【００４７】
また、容器本体１１と保護体１２とは、ツマミ部１２ａに対してねじる・折る等の力を加えることで、連結部１３が破損し、分離することができる。なお、容器本体１１と保護体１２とを一体形成する際、容器本体１１の下端面１１ｅと保護体１２のツマミ部１２ａの上端面１２ｄとを相対的に異なる向きに形成して、連結部１３を薄く形成することにより、劈開に要する力は少なくて済むとともに、劈開により生じる劈開面（連結部１３）は少なくて済む。【００４８】
また、劈開性を有する素材を利用することで、分離した劈開面（連結部１３）面は凹凸の無いものとなり、注射針を出す前に注射器１の先端を皮膚に押し付けた際に、連結部１３の分離した面によって皮膚を損傷する危険性は無くなる。そのため、注射器１を皮膚に垂直に押し当てる際に、破損して分離された連結部１３をしっかり皮膚に押し当てて、その断面が皮膚表面に接するように維持することができ、ひいては注射針２２の差し込まれる深さを一定に規定することができる。すなわち、皮下注射、筋肉注射など、注射針２２を差し込む深さを所望の深さに規定することが可能となる。逆に、凹凸が激しい連結部１３を有する切断面では、注射針２２を差し込む深さが一定しなくなり、表皮に損傷を与える様な切断面では理想的な注射は不可能となる。【００４９】
劈開性を有する素材としては、水素、メチル、フッ素等を重合した数平均分子量が１×１０３〜１×１０６である公知の樹脂組成物により構成される。結晶性が高い素材では破損片が生じやすく、ＰＥＴなど展性・延性に富む素材では破損せずにバリやささくれが生じやすいという問題がある反面、樹脂組成物では、適切な硬度を有しつつ、きれいな破損が期待でき、しかも破損片が生ずることを防止できる。【００５０】
針付きガスケット２は、ガスケット２１と、注射針２２と、を有している。ガスケット２１は、中空円筒状の上リング部２１ａと、同じく同軸の中空円筒状の中リング部２１ｂと、同じく同軸の中空円筒状の下リング部２１ｃと、が一体形成されている。【００５１】
上リング部２１ａは、外周径は容器本体１１の内壁径と略同径であって、容器本体１１に充填された薬液５の下方への流出を防いでいる。また、上リング部２１ａの中空部分は薬液５を注射針２２に導くための導入路２１ｄが形成されている。この導入路２１ｄは、下流に行くにつれて先端が先細りする形状となっている。中リング部２１ｂ及び下リング部２１ｃの中空部分は注射針２２を挿入して固定する注射針孔２１ｅが形成され、注射針孔２１ｅに注射針２２が挿入される。これら導入路２１ｄと注射針孔２１ｅとは、連通して一体形成されている。【００５２】
なお、下リング２１ｃの外周径は容器本体１１の内壁径と略同径であって、上リング部２１ａと相俟って、容器本体１１に充填された薬液５の下方への流出を防いでいる。また、中リング部２１ｂの外周径は上リング部２１ａ及び下リング部２１ｃよりも小さく、容器本体１１の内壁径よりも小さくすることによって、針付きガスケット２の可動により生じる摺動摩擦を低減している。【００５３】
ガスケット３は、中空円筒状の上リング部３１ａと、同じく同軸の中空円筒状の中リング部３１ｂと、同じく同軸の中空円筒状の下リング部３１ｃと、が一体形成されている。上リング部３１ａは、外周径は容器本体１１の内壁径と略同径であって、容器本体１１に充填された薬液５の上方への流出或いは注射器を逆さまにしたときの薬液５の下方への流出を防いでいる。また、下リング３１ｃの外周径は容器本体１１の内壁径と略同径であって、上リング部３１ａと相俟って、容器本体１１に充填された薬液５の上方への流出或いは注射器を逆さまにしたときの薬液５の下方への流出を防いでいる。中リング部３１ｂの外周径は上リング部３１ａ及び下リング部３１ｃよりも小さく、容器本体１１の内壁径よりも小さくすることによって、ガスケット３の可動により生じる摺動摩擦を低減している。【００５４】
ガスケット３の上リング部３１ａ及び中リング部３１ｂには、それぞれ連通する中空部分３１ｄ，３１ｅが一体形成されており、中空部分３１ｄは小径で、中空部分３１ｅは大径の領域を有する。すなわち、中空部分に挿入される連結体４１ｃを大径領域で遊びを有して可動とし、プランジャー４の押圧操作に伴いガスケット３を下に移動することができる。【００５５】
一方、プランジャー４の引出操作に伴い連結体４１ｃはガスケット３から離脱することから、プランジャー４とガスケット３とが分離する。プランジャー４とガスケット３の離脱は、プランジャー４に設けられた空気穴４３によって助長することができ、空気穴４３の作用によってプランジャー４の引出操作に大きな力を必要として連結体４１ｃの連結を解除する。このような基本動作は、図５以降に示す注射器においても同様である。【００５６】
プランジャー４は、円盤状の取手部４１ａと、円筒状又は円柱状のプランジャー本体部４１ｂと、が一体形成されており、プランジャー本体部４１ｂの下端には断面Ｔ字状の連結体４１ｃが接続されている。連結体４１ｃはガスケット３の上リング部３１ａ及び中リング部３１ｂに挿入されている。【００５７】
ここで、ガスケット３とプランジャー４との嵌合を弱いもの、あるいは嵌合の無い状態にして、プランジャー４がガスケット３から容易に離れてしまい、容器本体１１内に取り残されたガスケット３可動できないようにする。これにより針付きガスケット２とガスケット３との間に薬液を再度充填出来ないようにしている。あるいは、ガスケット３とプランジャー４を連結する連結体４１ｃがガスケット３から容易に離れてしまい、容器本体１１内に取り残されたガスケット３を可動できないようにしても同様である。【００５８】
このように、注射筒１と、針付きガスケット２と、ガスケット３が装着されたプランジャー４と、から構成される注射器は、次のようにして組立製造された後、使用される。
（１）注射筒１の容器本体１１内に開口上端から針付きガスケット２を挿入して、ガスケット受け部１２ｂと当接する。この際、注射針２２は針穴部１２ｃに収容される。
（２）注射筒１の容器本体１１内に規定量の薬液５が充填された状態で、ガスケット３が装着されたプランジャー４が取り付けられる。
（３）使用時は、ツマミ部１２ａに対して力を加えることで、連結部１３が破損し、容器本体１１と保護体１２とを分離する。これにより、注射針２２は初めて外気に触れることとなる。
（４）取手部４１ａと上取手部１１ａとの相対的距離を縮めていくようにプランジャー４を押し下げる操作を行うことで、ガスケット３の移動に伴う薬液５の負荷圧により針付きガスケット２が押し出されていき、注射針２２が注射筒１から露出して患者に接種される。なお、針付きガスケット２は、内壁部１１ｄをストッパーとして可動範囲が規制される。
（５）接種後は、注射針２２を患者から引き抜いたことを確認して、プランジャー４を引き出す操作を行うことで、ガスケット３の移動に伴う容器本体１１内の負荷圧により針付きガスケット２が押し上げられていき、注射針２２が注射筒１内に入る。
（６）さらにプランジャー４を引き出す操作を行うと、プランジャー４とガスケット３とを連結している連結体の作用によってプランジャー４とガスケット３が分離され、プランジャー４は容器本体１１外に引き出すことができるが、ガスケット３は容器本体１１内に残ってしまう。【００５９】
図３は、針付きガスケット２’の他の例を示す概略図であり、（Ａ）は断面図、（Ｂ）はＡ−Ａ断面図である。なお、説明の便宜上、注射針２２は図示を省略している。また、第２，第３，第４の注射器においても針付きガスケット２’を用いることとしてもよい。【００６０】
針付きガスケット２’は、中空円筒状の上リング部２１ａと、同じく同軸の中空円筒状の中リング部２１ｂと、同じく同軸の中空円筒状の下リング部２１ｃと、が一体形成されており、各リング部の外径は針付きガスケット２と同様である。導入路２１ｄは上リング部２１ａ及び中リング部２１ｂの途中に亘って形成され、注射針孔２１ｅは中リング部２１ｂの途中及び下リング部２１ｃに亘って形成されている。【００６１】
上リング部２１ａには、断面コの字状の薬液留め２３が外周壁２３ｂと当接して嵌挿されており、導入路２１ｄを上面円盤２３ａによって上下に区画している。上面円盤２３ａは、円の中心に対称な切り込み線２３ｃが形成されており、導入路２１ｄ内における上流から下流への薬液の流出を制御している。上面円盤２３ａは軟質ゴムを素材として、切り込みを有する軟質ゴム膜にある程度の内圧が負荷されるまで薬液５を注射針２２まで通さない役割を有する。これは、ガスケット３が前進する際、内包する薬液５の粘度が低いと注射針２２の針先が皮膚に刺さる前に薬液５が少量ながら放出される場合があることを防いでいる。【００６２】
図４に示すように、人間の皮膚は、外側から表皮、真皮、皮下組織で構成されており、皮下組織やそれよりさらに奥には筋肉や静脈が位置している。注射針を皮膚に刺して痛さを感じるのは、皮膚面に分布する痛点に注射針が当たるからといわれており、痛点は１ｃｍ２当たり１００個〜２００個分布しているとされている。そのため、痛点を極力避けるような微細な注射針を用いることで、接種時の痛さを和らげることができると考え、その様な極細の注射針を利用する注射器も有るが、いくら細くとも痛点に触れれば痛みを感ずるし、針が刺さった細胞からカリウムイオンやセロトニン、アセチルコリンといった「発痛物質」が出ると、これが知覚神経の末端に届き、痛みを感ずる。そこで、痛みを和らげる確実な手段として局所麻酔の利用を考えるものである。例えば、リドカインを含有する局所麻酔剤入りのパッチを貼付又はクリーム等を塗布することで注射針の疼痛を緩和することができる。【００６３】
一方、人間は複数の痛みを同時に感じることができないといわれており、注射をされているときに別の痛みがあれば、注射の痛みをごまかすことができるとされている。古典的な例としては、太ももをつねるとか、接種部位をつねっておくとか、接種部位に爪を立てるとかがあり、別の痛みに慣れておくことで、接種時の痛みを軽減することができる。また、痛みを伝える神経は細い神経で、触覚・圧覚というようなものは太い神経が伝えるといわれる。そして、太い神経は細い神経の働きを抑えるという現象がある。擦ったり、押さえると痛みがかなり楽になるということはよく知られており、また、怪我をして痛くてもガーゼを当て包帯を巻くと、痛みが楽になるというのも実際によく経験することである。【００６４】
図４は、突起部の作用を説明するための図である。２個の突起部１１Ｃ１，１１Ｃ２を皮膚に当接して表皮及び真皮を襲撃しない程度に押圧することで（図４（Ｂ））、突起部１１Ｃ１，１１Ｃ２による痛みを皮膚に与えている。注射針２２による接種中は突起部１１Ｃ１，１１Ｃ２による別の痛みを与えることによって、別の痛みに慣れさせる。なお、突起部の数は２個に限らず、痛みの程度によって増加することも可能である。また、このような突起部を有する突起体を平坦な注射器下端に装着して使用することも可能である。【００６５】
なお、突起部の数を増やして間欠的又は連続的なリング状の突起部を形成し、皮膚に当接して表皮及び真皮を襲撃しない程度に押圧することで、リング状に押圧された部分を虚血状態にして麻痺させた状態とすることができる。これにより、皮膚への刺激圧によって注射針の痛みをほぼ感じなくなり、接種時の痛みを軽減することができる。【００６６】
図５は、バネ体付きプランジャー４を用いた注射器の組立図であり、バネ体６がプランジャー本体部４１ｂの外周面に配置される。図５（Ａ）は使用前の状態を示す図であり、バネ体６は伸びている。図５（Ｂ）は使用中の状態を示す図であり、プランジャー４を押し下げる操作を行って注射針２２を注射筒１から露出させる状態では、バネ体６は縮んでいる。図５（Ｃ）は使用後の状態を示す図であり、バネ体６は復元して伸びようとしている。バネ体６は、押圧方向とは真逆の復元力を生成する弾性部材であり、アルミ、ステンレス等の金属や樹脂で形成される。このようなバネ体６を有する注射器によって、プランジャー４を引き上げる操作を行うことなく、ガスケット３が復元力によって自動的に移動し、それに伴う容器本体１１内の負荷圧により針付きガスケット２が吸引されるように押し上げられていき、注射針２２が注射筒１内に入る。【００６７】
また、第２，第３，第４の注射器においても、バネ体６を用いた基本動作は、バネ体６の配置に関わらず、図５によるものと同様である。【００６８】
（第２の注射器）
図６は、本発明の実施の形態に係る別の注射器の分解図、図７は、本発明の実施の形態に係る別の注射器の組立図である。図５の注射器とは、注射筒１、針付きガスケット２、ガスケット３が装着されたプランジャー４は同様である。なお、注射筒１の保護体１２のガスケット受け部１２ｂの形状が異なるが、バネ体６をプランジャー受け部１２ｂの外周面に配置する際の利便性によるものである。【００６９】
この注射器によれば、針付きガスケット２の下部にバネ体６が配置されていることから、接種時に針付きガスケット２が押し下げられていくにつれてバネ体６に復元力が発生し、プランジャー４を引き上げる操作を行うことなく、接種後にはバネ体６の復元力によってガスケット２が押し上げられていき、注射針２２が注射筒１内に入る。【００７０】
（第３の注射器）
図８は、本発明の実施の形態に係る別の注射器の分解図、図９は、本発明の実施の形態に係る別の注射器の組立図である。図５の注射器とは、針付きガスケット２の基本的構成は同様である。【００７１】
図５の注射器と異なり、注射筒１の容器本体１１はリング状の上下取手部がない。また、ガスケット３が装着されたプランジャー７は、外壁部７１ａと、外壁部７１ａと連動し所定の隙間を持って離間配置されたプランジャー本体部７１ｂと、プランジャー本体部７１ｂの下端には断面Ｔ字状の連結体７１ｃが接続されている。プランジャー本体部７１ｂと外壁部７１ａとの間に形成された隙間にバネ体６が配設され、バネ体６の上端は外壁部７１ａ上面に、バネ体６の下端は容器本体１１の開口上端面に位置している。【００７２】
この注射器によれば、プランジャー７を引き上げる操作を行うことなく、ガスケット３がバネ体６による復元力によって自動的に移動し、それに伴う容器本体１１内の負荷圧により針付きガスケット２が押し上げられていき、注射針２２が注射筒１内に入る。【００７３】
（第４の注射器）
図１０は、本発明の実施の形態に係る別の注射器の分解図、図１１は、本発明の実施の形態に係る別の注射器の組立図である。図５の注射器とは、針付きガスケット２は同様であり、図６及び図７の注射器とは、注射筒１の構成は同様であり、図８及び図９の注射器とはプランジャー７の構成は同様である。【００７４】
この注射器によれば、針付きガスケット２の下部にバネ体６が配置されていることから、接種時に針付きガスケット２が押し下げられていくにつれてバネ体６に復元力が発生し、プランジャー４を引き上げる操作を行うことなく、接種後にはバネ体６の復元力によってガスケット２が押し上げられていき、注射針２２が注射筒１内に入る。【００７５】
（麻酔薬収納部）
図１２は、麻酔薬８を収納する収納部４２，７２を説明するための図であり、プランジャー４の後端に位置する取手部４１ａの上部又はプランジャー７の後端に位置する外壁部７１ａの上部に箱型の収納部４２，７２を設けている。麻酔薬８は密封容器に封入されており、使用時には収納部４２，７２から容器を取り出して皮膚に塗布して表面麻酔をかける。また、麻酔薬８はパッチ式やクリーム式でもよく、収納部４２，７２から取り出して貼付又は塗布する。なお、収納部４２，７２を別途設けなくても、例えば密封容器の底面とプランジャー４，７の後端面とを両面テープで接着するなど、プランジャー４，７の後端面を収納部４２，７２として機能してもよい。【００７６】
（注射器の使用方法）
図１３〜図１５を用いて、注射器の使用方法を説明する。
（Ａ）  図１３（Ａ）及び図１４（Ａ）は、使用前の状態を示している。
（Ｂ）  図１３（Ａ）及び図１４（Ａ）は、保護体１２を取り外した状態を示している。
（Ａ）から（Ｂ）にかけては、プランジャー４の取手部先端に麻酔薬８を収納する収納部４２が設けられており、注射器の使用直前に収納部４２に孔をあけ、注射針２２があたる場所に麻酔薬８を塗布する。図１５（Ａ）はその様子を示しており、表皮及び真皮に存在する自由神経終末に麻酔を与えることで表面麻酔が掛かり、針痛を軽減することができる。【００７７】
（Ｃ）  図１３（Ｃ）及び図１４（Ｃ）は、プランジャー４を押し込み、注射針２２を露出させた状態を示している。
（Ｂ）から（Ｃ）にかけては、表面麻酔の後に容器本体１１の先端を皮膚に当接することで、先端に位置する突起部１１Ｃ１，１１Ｃ２が皮膚に浅く食い込み、突起物が刺さった感覚を脳に感じさせる。また、（Ｃ）において徐々に針を刺す段階においても、突起物が刺さって痛いと錯覚している中で注射針２２を皮膚に刺し込んでいく。【００７８】
（Ｄ）  図１３（Ｄ）及び図１４（Ｄ）は、薬液５を皮下組織に注入している状態を示している。
図１５（Ｂ）はその様子を示しており、表皮（約０．２〜０．３ｍｍ）及び真皮（約２ｍｍ）の下部に位置する皮下組織（皮膚表面から約２．３ｍｍ下方）に薬液５を注入する。【００７９】
（Ｅ）  図１３（Ｅ）及び図１４（Ｅ）は、全ての薬液５を注入し終えた状態を示している。
ガスケット３及び針付きガスケット２が当接している。【００８０】
（Ｆ）  図１３（Ｆ）及び図１４（Ｆ）は、プランジャー４を注射筒１から外した状態を示している。
（Ｅ）から（Ｆ）にかけては、バネ６の復元力により注射針２２を有する針付きガスケット２は引き戻されて本体容器１１内へ収納される。
また、プランジャー４を上方に強く引こうとすると、プランジャー４と針付きガスケット３との連結が外れて、針付きガスケット３は注射筒１内に残置されることとなる。
（Ｆ）の状態では、ガスケット４と針付きガスケット３との間に薬液を再度注射することにより注射器を再使用することができなくなる。
【産業上の利用可能性】
【００８１】
本発明に係る注射器は、誰でも安心安全で簡単に使用できるものとして有用である。
【符号の説明】
【００８２】
１  注射筒
２，２’  針付きガスケット
３  ガスケット（３１ａ：上リング部  ３１ｂ：中リング部  ３１ｃ：下リング部  ３１ｄ，３１ｅ：中空部分）
４  プランジャー（４１ａ：取手部  ４１ｂ：プランジャー本体部  ４１ｃ：連結体）
５  薬液
６  バネ体
７  プランジャー（７１ａ：外壁部  ７１ｂ：プランジャー本体部  ７１ｃ：連結体）
８  麻酔薬
１１  容器本体（１１ａ：上取手部  １１ｂ：下取手部  １１Ｃ１，１１Ｃ２：突起部  １１ｄ：内壁部）
１２  保護体（１２ａ：ツマミ部  １２ｂ：ガスケット受け部  １２ｃ：針穴部）
１３  連結部
２１  ガスケット（２１ａ：上リング部  ２１ｂ：中リング部  ２１ｃ：下リング部）
２１ｄ  導入路
２１ｅ  注射針孔
２２  注射針
２３  薬液留め（２３ａ：上面円盤  ２３ｂ：外周壁）
４２，７２  収納部
４３，７３  空気孔
【図１】
2019235637.tif 000003
【図２】
2019235637.tif 000004
【図３】
2019235637.tif 000005
【図４】
2019235637.tif 000006
【図５】
2019235637.tif 000007
【図６】
2019235637.tif 000008
【図７】
2019235637.tif 000009
【図８】
2019235637.tif 000010
【図９】
2019235637.tif 000011
【図１０】
2019235637.tif 000012
【図１１】
2019235637.tif 000013
【図１２】
2019235637.tif 000014
【図１３】
2019235637.tif 000015
【図１４】
2019235637.tif 000016
【図１５】
2019235637.tif 000017
【国際調査報告】
2019235637.tif 000018
2019235637.tif 000019
2019235637.tif 000020
2019235637.tif 000021